(57)【要約】【課題】コネクタの小型化が進んでも、ランスの強度を維持することができ、端子保持力の低下を防止することのできる樹脂製のコネクタハウジングを提供する。【解決手段】端子収容室１１の内部に端子１を抜け止め固定するための可撓性のランス２０が設けられた樹脂製のコネクタハウジングにおいて、ランスが、横壁２２と縦壁２３を備えた断面Ｌ字状をなし且つ基端側２８を支点として先端側２９が横壁２２と直交する方向に撓み自在とされた片持式のアーム２０Ａにより構成されている。アームの先端側の内面には端子と係合する係合凸部２１が設けられ、係合凸部は、アームを構成する横壁２２と縦壁２３の両方に連続して形成されている。【選択図】図１
2010027230.tif 000002
【特許請求の範囲】
【請求項１】
端子収容室の内部に、該端子収容室の内部に挿入された端子を抜け止め固定するための可撓性のランスが設けられた樹脂製のコネクタハウジングにおいて、
前記ランスが、横壁と縦壁を備えた断面Ｌ字状をなし且つ基端側を支点として先端側が前記横壁と直交する方向に撓み自在とされた片持式のアームにより構成され、該アームの先端側の内面に、前記端子収容室の内部に挿入されてきた端子と係合する係合凸部を有していることを特徴とするコネクタハウジング。
【請求項２】
請求項１に記載のコネクタハウジングであって、
前記係合凸部が、前記アームを構成する前記横壁と前記縦壁の両方に連続して形成されていることを特徴とするコネクタハウジング。
【請求項３】
請求項１または２に記載のコネクタハウジングであって、
複数の端子収容室が横方向に配列されており、前記アームの縦壁が、隣接する前記端子収容室を仕切る仕切壁の少なくとも一部として利用されていることを特徴とするコネクタハウジング。
【発明の詳細な説明】
【技術分野】
【０００１】
本発明は、端子収容室の内部に端子を係止するランスを備えたコネクタハウジングに関するものである。
【背景技術】
【０００２】
一般のコネクタは、樹脂製のコネクタハウジングに、それぞれ内部に可撓性のランスを有した複数の端子収容室を形成し、各端子収容室に後方から挿入した端子を、ランスの可撓性を利用して抜け止め固定するように構成されている（例えば、特許文献１参照）。この場合のランスは、端子収容室の内壁に基端側が連結された平板アーム状に形成され、平板の厚み方向に撓むことで、端子を通過させた後に、端子を抜け方向に係止するようになっている。
【特許文献１】特開２００４−１４３０５号公報
【発明の開示】
【発明が解決しようとする課題】
【０００３】
ところで、コネクタの小型化により横方向に並んだ端子間のピッチが狭くなってくると、ランスの幅も狭くなり、強度が低下するため、端子保持力が弱くなる。また、縦方向に複数段の端子を備える場合も、縦方向のコネクタの小型化が進むと、ランスの肉厚も薄くなり、同様に強度が低下して端子保持力が弱くなるという問題がある。
【０００４】
本発明は、上記事情を考慮し、コネクタの小型化が進んでも、ランスの強度を維持することができ、端子保持力の低下を防止することのできる樹脂製のコネクタハウジングを提供することを目的とする。
【課題を解決するための手段】
【０００５】
請求項１の発明のコネクタハウジングは、端子収容室の内部に、該端子収容室の内部に挿入された端子を抜け止め固定するための可撓性のランスが設けられた樹脂製のコネクタハウジングにおいて、前記ランスが、横壁と縦壁を備えた断面Ｌ字状をなし且つ基端側を支点として先端側が前記横壁と直交する方向に撓み自在とされた片持式のアームにより構成され、該アームの先端側の内面に、前記端子収容室の内部に挿入されてきた端子と係合する係合凸部を有していることを特徴とする。
【０００６】
請求項２の発明は、請求項１に記載のコネクタハウジングであって、前記係合凸部が、前記アームを構成する前記横壁と前記縦壁の両方に連続して形成されていることを特徴とする。
【０００７】
請求項３の発明は、請求項１または２に記載のコネクタハウジングであって、複数の端子収容室が横方向に配列されており、前記アームの縦壁が、隣接する前記端子収容室を仕切る仕切壁の少なくとも一部として利用されていることを特徴とする。
【発明の効果】
【０００８】
請求項１の発明によれば、端子を抜け止め固定するためのランスが、断面Ｌ字状の片持式のアームにより構成されているので、薄型や幅狭のものとして形成されている場合であっても、縦壁のリブ効果により、撓み剛性を高く維持することができると共に座屈や剪断にも強くなり、十分な端子保持力を発揮できるようになる。従って、端子保持力を維持しながら、コネクタの小型化を図ることができる。
【０００９】
請求項２の発明によれば、ランスの先端の直接端子と係合する係合凸部が、断面Ｌ字状のアームの先端側内面に、横壁および縦壁の両方と連続する形で形成されているので、単に横壁だけに連続するよう形成されている場合と比べて、剪断破壊に強くなり、端子に大きな抜け力が作用しても、十分な端子保持力を発揮できるようになる。
【００１０】
請求項３の発明によれば、ランスを構成するアームの縦壁が、隣接する端子収容室を仕切る仕切壁（極間の壁）の少なくとも一部として利用されているので、別に仕切壁を設ける必要がなく、その分だけ横方向の寸法増加を抑えることができる。言い換えると、元々必要であった極間の壁（仕切壁）を、ランスを構成するアームの縦壁として利用するので、横方向の余計な寸法増加を招かない。従って、一層のコネクタの小型化に寄与することができる。
【発明を実施するための最良の形態】
【００１１】
以下、本発明の実施形態を図面を参照して説明する。
【００１２】
図１はコネクタハウジングの一部の端子収容室の内部構造を示す縦断面図、図２はその端子収容室内のランスの上から見た斜視図、図３は同ランスの下から見た斜視図、図４は図１のＩＶ−ＩＶ矢視断面図である。
【００１３】
このコネクタハウジング１０は、樹脂成形品よりなるもので、横方向に配列された多数の角孔状の端子収容室１１を有している。また、端子収容室１１は、必要に応じて縦方向にも複数段設けられている。各端子収容室１１の内部には、端子収容室１１の内部に後方から挿入されてきた端子１を抜け止め固定するための可撓性のランス２０がそれぞれ設けられている。
【００１４】
端子収容室１１は、相手コネクタの端子（オス端子）を受け入れる貫通孔１３を有した前壁１２により前端が規定され、上面が上壁１４、下面が下壁１５、側面が仕切壁１６（端部の端子収容室は側壁）で画成された角孔状の室であり、ランス２０は上壁１４側に設けられている。
【００１５】
このランス２０は、上壁１４と平行な横壁２２と該横壁２２と直交する縦壁２３とを備えた断面Ｌ字状をなし且つ基端側（端子挿入方向の後端側）２８を支点として先端側（端子挿入方向の前端側）２９が横壁２２と直交する方向（図中上下方向）に撓み自在とされた片持式のアーム２０Ａにより構成されている。
【００１６】
この場合、複数の端子収容室１１は仕切壁１６を介して横方向に配列されており、隣接する端子収容室１１を仕切る仕切壁１６の一部が、スリット２４により切り離されることで、アーム２０Ａの縦壁２３として利用されている。
【００１７】
また、アーム２０Ａの先端側２９の内面には、端子収容室１１の内部に挿入されてきた端子１と係合する係合凸部２１が設けられており、係合凸部２１は、アーム２０Ａの横壁２２と縦壁２３の両方に連続して形成されている。
【００１８】
なお、図示例の端子１は、前部にボックス部２を有するメス端子であり、ボックス部２の上部にランス２０の係合凸部２１と係合する被係合部３を有している。
【００１９】
次に作用を説明する。
【００２０】
このコネクタハウジング１０の端子収容室１１に後方から端子１を挿入すると、端子１の被係合部３が係合凸部２１に当たることでランス２０が上方に撓み、被係合部３が通過することでランス２０が撓み復帰し、被係合部３の後面に係合凸部２１が係合する。これにより、端子１を後方へ抜けないように固定する。
【００２１】
この場合、端子１を抜け止め固定するためのランス２０が、断面Ｌ字状の片持式のアーム２０Ａにより構成されているので、ランス２０が薄型や幅狭のものとして形成されている場合であっても、縦壁２３のリブ効果により、撓み剛性を高く維持することができると共に座屈や剪断にも強くなり、十分な端子保持力を発揮できるようになる。
【００２２】
また、ランス２０の先端の直接端子１と係合する係合凸部２１が、断面Ｌ字状のアーム２０Ａの先端側２９の内面に、横壁２２および縦壁２３の両方と連続する形で形成されているので、単に横壁２２だけに連続するよう形成されている場合（従来形式）と比べて、剪断破壊に強くなり、端子１に大きな抜け力が作用しても、十分な端子保持力を発揮できるようになる。
【００２３】
また、ランス２０を構成するアーム２０Ａの縦壁２３が、隣接する端子収容室１１を仕切る仕切壁（極間の壁）１６の少なくとも一部として利用されているので、別に仕切壁を設ける必要がなく、その分だけ横方向の寸法増加を抑えることができる。つまり、元々必要であった極間の壁（仕切壁１６）を、ランス２０を構成するアーム２０Ａの縦壁２３として利用するので、横方向の余計な寸法増加を招かない。従って、端子保持力を維持しながら、コネクタの小型化を図ることができる。
【００２４】
なお、上記実施形態では、端子１がメス端子である場合を示したが、オス端子の場合にも、本発明は適用することができる。
【図面の簡単な説明】
【００２５】
【図１】図１は実施形態のコネクタハウジングの一部の端子収容室の内部構造を示す縦断面図である。
【図２】その端子収容室内のランスの上から見た斜視図である。
【図３】同ランスの下から見た斜視図である。
【図４】図１のＩＶ−ＩＶ矢視断面図である。
【符号の説明】
【００２６】
１  端子
１０  コネクタハウジング
１１  端子収容室
１６  仕切壁
２０  ランス
２０Ａ  アーム
２１  係合凸部
２２  横壁
２３  縦壁
２８  基端側
２９  先端側
【図１】
2010027230.tif 000003
【図２】
2010027230.tif 000004
【図３】
2010027230.tif 000005
【図４】
2010027230.tif 000006